(57)【要約】【課題】リズミカルな現代風の盆踊りや、野球、サッカー等のスポーツ応援用又は観光みやげ用のおもちゃとして使用され、納涼のため扇いで風を送る機能と、うちわ本体に打撃部材が衝突することにより、うちわ本体から打撃音を発する鳴り物としての両方の機能を有し、軽量で安全性及び耐久性を有するうちわとする。【解決手段】柄部２と連続して被打撃部３がうちわ本体１の一部を構成する。被打撃部３に棒状の打撃部材５が複数個被打撃部３と直交する方向に揺動可能に設ける。【選択図】図１
2004242992.tif 000002
【特許請求の範囲】
【請求項１】
柄部と連続して被打撃部がうちわ本体の一部を構成し、被打撃部に打撃部材が被打撃部と直交する方向に揺動可能に設けられていことを特徴とするうちわ。
【請求項２】
打撃部材は被打撃部の片側又は両側に設けられていことを特徴とする請求項１記載のうちわ。
【請求項３】
打撃部材は複数個並列されていることを特徴とする請求項１又は２記載のうちわ。
【請求項４】
打撃部材は棒状であることを特徴とする請求項１、２又は３記載のうちわ。
【請求項５】
柄部と被打撃部及び打撃部材は木又はプラスチックで形成されていることを特徴とする請求項１、２、３又は４記載のうちわ。
【発明の詳細な説明】
【０００１】
【発明の属する技術分野】
本発明は、近年各地で盛んなリズミカルな現代風の盆踊りや祭り用の踊り等の各種踊り用、或いは野球、サッカー等のスポーツの応援用、又は観光みやげ用のおもちゃとしても使用される音を発して楽しめるうちわに関するものである。
【０００２】
【従来の技術】
従来、音を発するうちわとして、登録実用新案第３０５８４６２号のうちわが既に提案されている。
この考案は、うちわの扇部に振動により音が生じる楽器部材を配設したもので、楽器部材としてシンバルや鈴や鳴子を具備されている。
そして、うちわで扇ぐ動作を行ったり、振ったりすることにより、扇部に振動を加え、これにより楽器部材から音を発するようになっている。
【０００３】
【発明が解決しようとする課題】
上記従来の音を発するうちわは、納涼のため扇いで風を送る機能と、鳴り物類としての両方の機能を有しているが、うちわ本体が音を発する構成ではなく、うちわの扇部に音が発するよう制作された完成品であるシンバルや鈴や鳴子等の楽器部材を配設したもので、うちわの重量が重くなり、扇ぎ難くなる問題点を有すると共に、楽器部材を取り付けた扇部に大きな負担が掛かり、又風を送る機能は劣る。
特に、リズミカルな踊りや応援用に使用する場合は、激しく大きく振るため衝撃に耐え難く、取り付け部の破損がし易くなり、楽器部材が外れて観衆や他の踊り手を怪我させる危険性も有している。又楽器部材が衝突する扇部も破損を受けることになる。
【０００４】
上記点より本発明は、納涼のため扇いで風を送る機能と、うちわ本体に打撃部材が衝突することにより、うちわ本体から打撃音を発する鳴り物としての両方の機能を有し、かつ軽量で安全性及び耐久性を有するうちわを提供しようとするものである。
【０００５】
【課題を解決するための手段】
上記課題を解決するため請求項１記載の本発明うちわは、柄部と連続して被打撃部がうちわ本体の一部を構成し、被打撃部に打撃部材が被打撃部と直交する方向に揺動可能に設けられていことを特徴とするものである。
【０００６】
このような構成とすることにより、うちわの柄部を手で持って扇いだり振ったりすると、打撃部材が揺動して被打撃部に衝突し、うちわ本体から打撃音を発する。
又、被打撃部は柄部と連続しているため、丈夫であると共に被打撃部がうちわ本体の一部を構成しているため、うちわの軽量化が図れる。
【０００７】
次に、請求項２記載の本発明うちわは、請求項１のうちわに於いて、打撃部材は被打撃部の片側又は両側に設けられていことを特徴とするものである。
【０００８】
このような構成とすることにより、打撃部材を被打撃部の片側に設けると比較的音を小さくでき、又打撃部材を被打撃部の両側に設けると大きく音を発することができる。
【０００９】
次に、請求項３記載の本発明うちわは、請求項１又は２のうちわに於いて、打撃部材は複数個並列されていることを特徴とするものである。
【００１０】
このような構成とすることにより、不規則で複雑な音を発することが可能であると共に、大きな音を発することになる。
【００１１】
次に、請求項４記載の本発明うちわは、請求項１、２又は３のうちわに於いて、打撃部材は棒状であることを特徴とするものである。
【００１２】
このような構成とすることにより、打撃部材の揺動時の振れが大きくなり、勢いよく衝突すると共に、被打撃部に当たる面も多くなり、大きな音を発し易くなる。
【００１３】
次に、請求項５記載の本発明うちわは、材質を木又はプラスチックとすることでうちわ本体は丈夫で、打撃部材の被打撃部への衝突による衝撃にも耐え、破損による飛散の恐れがなく、耐久性や安全性も高い。又大きな音も発し易い。
【００１４】
【発明の実施の形態】
以下、本発明の一実施の形態を図面に基づき説明する。
図１は本発明うちわの一実施の形態を示す正面図、図２は同上の側面図、図３は同上の一部省略した拡大断面図である。
図１乃至図３において、図中１はうちわ本体であり、このうちわ本体１は柄部２と、柄部２と連続した被打撃部３と、被打撃部３に取り付けた扇部４から構成されている。
【００１５】
柄部２と被打撃部３は一体に形成され、被打撃部３は扇形で平板状に形成されている。又被打撃部３の両側に打撃部材５が揺動可能に設けられている。
打撃部材５は断面が方形の細長い棒状体で、柄部２の長手方向と同一方向に片側に３本ずつ横一列に並列され、この並列された打撃部材５の柄部２側（下部側）の端部の一方の側部から他方の側部に３本の打撃部材５を軸６が貫通し、軸６の両端部は被打撃部３と一体又は接着剤等により固定された軸受７に固定されている。これにより各打撃部材５は被打撃部３と直交する方向に回動する。
【００１６】
そして、打撃部材５の軸６が貫通されている側の端部は、軸６の周りを回動できるよう又反転しないよう、被打撃部３側が略４５°の角度で面取り８されている。
これにより、手で柄部２を持って扇いだり振ったりした場合に、軸６を支点として打撃部材５は揺動し、被打撃部３を打撃する。又反転しないため打撃部材５で手を打つことが防止される。
【００１７】
又、打撃部材５は図４に示すように、扇部４側（上部側）の端部に軸６を貫通し取り付けてもよい。
この場合も、打撃部材５の軸６が貫通されている側の端部を同様に面取りしておけば、揺動はするが反転しないため打撃部材５が扇部４を打撃し、扇部４を破損することが防止される。
【００１８】
尚、打撃部材５は、図面では被打撃部３の両側に装着されているが、片側でもよい。
又、打撃部材５の数も必ずしも片側が３本に限定されるものではなく、１本でも或いは複数本でもよい。又両側の数が異なってもよい。
又、打撃部材５の形状は棒状体に限定されるものではなく、管状でもよく、被打撃部３を叩ける形状であればよい。
【００１９】
柄部２、被打撃部３、打撃部材５及び軸受７の材質は木又はプラスチックが好ましいが、材質は固いほどよい。木であれば、硬い樫、檜、黒檀、紫檀、けやき等が好適である。
尚、図中９は被打撃部３の両側に穿設した孔であり、この孔９に鈴やキャラクター、名札等の物品を紐等で吊り下げておくためのものである。
【００２０】
次に、扇部４は複数本の張骨１０と、この張骨１０の両面から貼着された被覆体１１により扇形に形成され、この扇部４の基部側の弧面は扇形の被打撃部３の弧面に沿って形成された溝１２内に嵌合され、接着剤等で固定されている。
張骨１０の材質は木又はプラスチックが好ましいが、プラスチックの場合は図５に示すように、柄部２と被打撃部３と一体に張骨１０を形成することもできる。この場合は張骨１０を薄く形成することで可撓性を与えることができる。
【００２１】
又、張骨１０は必ずしも柄部２と被打撃部３と同じ材質のものを使用する必要がなく、柄部２と被打撃部３は木製で張骨１０をプラスチックとしてもよいことは勿論である。
【００２２】
又、被覆体１１は紙類、布類、合成樹脂シート等材質は問わない。
又、扇部４の形状は扇形に限定されるものではなく、図６に示すような通常のうちわの形状でもよく、更に円形、角形、或いはカエル、パンダ等動物の顔等任意に選択できる。
【００２３】
【発明の効果】
本発明によれば、うちわの柄部を手で持って扇いだり振ったりすると、打撃部材が揺動して被打撃部に衝突し、うちわ本体から打撃音を発するので納涼と鳴り物類としての両方の機能を有する。よって、リズミカルな現代風の踊りや、野球、サッカー等のスポーツの応援用に好適であると共に、観光みやげ用のおもちゃとしても使用できる。
又、被打撃部は柄部と連続しているため丈夫であると共に、被打撃部がうちわ本体の一部を構成しているため、うちわ本体に楽器部材を別個に取り付けるのに比べて、扇部は邪魔になるものが付設されていないので風を送る機能に影響はないと共に、全体が軽量で、かつ外れて飛散する恐れがないので安全性と耐久性を有するものである。
【図面の簡単な説明】
【図１】本発明うちわの一実施の形態を示す正面図である。
【図２】図１の側面図である。
【図３】図１の一部省略した拡大断面図である。
【図４】本発明うちわの他の実施の形態を示す正面図である。
【図５】本発明うちわの他の実施の形態を示す断面図である。
【図６】本発明うちわの他の実施の形態を示す正面図である。
【符号の説明】
１  うちわ本体
２  柄部
３  被打撃部
４  扇部
５  打撃部材
６  軸
７  軸受
８  面取り
９  孔
１０  張骨
１１  被覆体
１２  溝
【図１】
2004242992.tif 000003
【図２】
2004242992.tif 000004
【図３】
2004242992.tif 000005
【図４】
2004242992.tif 000006
【図５】
2004242992.tif 000007
【図６】
2004242992.tif 000008